(57)【要約】      （修正有）【課題】自動化方式で裏粘着紙から剥離紙を剥がした後、任意設定の長さに裁断する印字ラベル剥離装置を提供する。【解決手段】印字ラベル剥離装置は、機体、プリント組部品、剥離組部品とカッター組部品４０を含む。そのうち、プリント組部品は、機体内部に設置し、プリントヘッド２１及び伝送ローラー２２を含み伝送ローラー２２はプリントヘッド２１の下方に配置する。また剥離組部品は、機体内部に設置し、プリント組部品に隣接し、案内部品３１及び可動ローラー３２を含み，可動ローラー３２は案内部品３１の下方に設置し、伝送ローラー２２と相互に押さえる。更にカッター組部品４０は、機体内部に設置し、剥離組部品に隣接し且つ剥離組部品と比較してプリント組部品から遠い。【選択図】図７
0003210425.tif 000002
【実用新案登録請求の範囲】
【請求項１】
印字ラベル剥離装置において、
機体と、
該機体内部に設置し、プリントヘッド及び伝送ローラーを含み、該伝送ローラーは該プリントヘッドの下方に設置するプリント組部品と、
該機体内部に設置し、該プリント組部品に隣接し、案内部品及び可動ローラーを含み、該可動ローラーは該案内部品の下方に設置し、該伝送ローラーと相互に押さえる剥離組部品と、
該機体内部に設置し、該剥離組部品に隣接し、且つ該カッター組部品は該剥離組部品と比較して該プリント組部品より遠いカッター組部品を含むことを特徴とする印字ラベル剥離装置。
【請求項２】
前記機体は、機台及び上蓋を含み、該上蓋は該機台上に接続設置することを特徴とする請求項１記載の印字ラベル剥離装置。
【請求項３】
前記上蓋の一側は、該機台に固定接続し、該上蓋の別側は可動連接するか、もしくは該機台から分離することを特徴とする請求項２記載の印字ラベル剥離装置。
【請求項４】
前記上蓋は、該機台から可動で外れることを特徴とする請求項２記載の印字ラベル剥離装置。
【請求項５】
前記カッター組部品は、第一カッター片及び第二カッター片を含み、該第一カッター片は該上蓋に設置し、該第二カッター片は該機台に設置し、且つ該第一カッター片は固定設置した該第二カッター片に可動で縱向移動して近づいたり離れたりし、もしくは該第二カッター片は固定設置した該第一カッター片に可動で縱向移動して近づいたり離れたりすることを特徴とする請求項２記載の印字ラベル剥離装置。
【請求項６】
前記第一カッター片及び該第二カッター片の刀刃に遠い部分には凹部を設置することを特徴とする請求項５記載の印字ラベル剥離装置。
【請求項７】
前記印字ラベル剥離装置は、更に挟持組部品を含み、該機体内部に設置して該カッター組部品に隣接し、且つ該挟持組部品は該カッター組部品と比較して該剥離組部品から離れ、該挟持組部品は第一挟持部品及び第二挟持部品を含み、該第一挟持部品は第二挟持部品と隣接することを特徴とする請求項５記載の印字ラベル剥離装置。
【請求項８】
前記第一挟持部品と第二挟持部品は、伝送ローラーでもよく、もしくは第一挟持部品と第二挟持部品はバネ機構でもよいことを特徴とする請求項７記載の印字ラベル剥離装置。
【請求項９】
前記印字ラベル剥離装置は、更に制御モジュールを含み、該機体内部に設置して該プリント組部品、該剥離組部品、該カッター組部品及び該挟持組部品を連接し、該プリントヘッドを制御して印刷ジョブを実行し、該伝送ローラー及び該可動ローラーを制御して回転し、該第一カッター片もしくは該第二カッター片を制御して縱向移動することを特徴とする請求項７記載の印字ラベル剥離装置。
【請求項１０】
前記案内部品は、Ｌ字形であることを特徴とする請求項１記載の印字ラベル剥離装置。
【請求項１１】
前記案内部品は、多角形であることを特徴とする請求項１記載の印字ラベル剥離装置。
【考案の詳細な説明】
【技術分野】
【０００１】
本考案は、プリンタに関するもので、特に自動で、裏粘着紙の剥離紙を剥離した後、任意設定した長さに裁断する印字ラベル剥離装置に係る。
【背景技術】
【０００２】
印刷技術の発明に拠って、知識の伝播速度が早くなり、近年では電子技術のスピードが更に進んだことにより、印刷は電子制御と自動化の時代に突入し、それはつまり印刷装置も普及したことに依る。現代社会において、オフィス、ショピングセンター、病院、更には一般家庭においてもプリンタは使用されていて、異なる紙の大きさにもとづいて文字、図案の文書、例として出荷伝票、領収書、送り状等々をスピーディに印刷し、事務処理の効率化を高めるため、印刷装置は無くてはならない設備である。
【０００３】
現在の印刷装置は殆どが各種異なるサイズ、種類の紙で印刷し、それは剥離紙を備えた裏粘着紙、例としてラベル紙等を含む。
【考案の概要】
【考案が解決しようとする課題】
【０００４】
解決しようとする問題点は、現有する公知のプリンタは裏粘着紙に印刷する時、普通紙に印刷するのと同じで、紙に印刷した後、紙が出力される。そのため、使用者は印刷出力後の裏粘着紙を受け取った後，人の手で剥離紙を取り除かなければならないので、使用上、不便である点である。
【課題を解決するための手段】
【０００５】
本考案は、機体、プリント組部品、剥離組部品とカッター組部品を含む。そのうちプリント組部品は、機体内部に設置し、プリントヘッド及び伝送ローラーを含み、伝送ローラーはプリントヘッドの下方に配置する。また剥離組部品は、機体内部に設置し、プリント組部品に隣接し、案内部品及び可動ローラーを含み，可動ローラーは案内部品の下方に設置し伝送ローラーと相互に押さえる。更にカッター組部品は、機体内部に設置し、剥離組部品に隣接し且つ剥離組部品と比較してプリント組部品から遠いことを最も主要な特徴とする。
【考案の効果】
【０００６】
本考案の印字ラベル剥離装置は、自動化方式で裏粘着紙から剥離紙を剥がした後、任意設定の長さに裁断するという利点がある。
【図面の簡単な説明】
【０００７】
【図１】本考案の印字ラベル剥離装置の第一指示図である。
【図２】本考案の印字ラベル剥離装置の第二指示図である。
【図３】本考案の印字ラベル剥離装置の第三指示図である。
【図４】本考案の印字ラベル剥離装置の第四指示図である。
【図５】本考案の印字ラベル剥離装置の第五指示図である。
【図６】本考案の印字ラベル剥離装置の第六指示図である。
【図７】本考案の印字ラベル剥離装置の第七指示図である。
【図８】本考案の印字ラベル剥離装置の第八指示図である。
【図９】本考案の印字ラベル剥離装置の第九指示図である。
【考案を実施するための形態】
【０００８】
上述の公知の問題を鑑み、自動化方式で裏粘着紙から剥離紙を剥がした後、任意設定の長さに裁断する印字ラベル剥離装置を提供することを本考案の目的とする。
【０００９】
本考案の目的に基づき、印字ラベル剥離装置を提供する。それは、機体、プリント組部品、剥離組部品とカッター組部品を含む。そのうちプリント組部品は、機体内部に設置し、プリントヘッド及び伝送ローラーを含み、伝送ローラーはプリントヘッドの下方に配置する。また剥離組部品は、機体内部に設置し、プリント組部品に隣接し、案内部品及び可動ローラーを含み，可動ローラーは案内部品の下方に設置し伝送ローラーと相互に押さえる。更にカッター組部品は、機体内部に設置し、剥離組部品に隣接し且つ剥離組部品と比較してプリント組部品から遠い。
【００１０】
良好なものとして、機体は、機台及び上蓋を含み、上蓋は機台上に設置する。
【００１１】
良好なものとして、上蓋の一側係鎖接機台，上蓋の別側に連接するか、もしくは機台から分離する。
【００１２】
良好なものとして、上蓋は機台から可動で外れる。
【００１３】
良好なものとして，カッター組部品は第一カッター片及び第二カッター片を含み、第一カッター片は上蓋に設置し、第二カッター片は機台に設置する。且つ第一カッター片は固定設置した第二カッター片に可動で縱向移動して近づいたり遠ざかったりし、または第二カッター片は固定設置した第一カッター片に可動で縱向移動して近づいたり遠ざかったりする。
【００１４】
良好なものとして、この印字ラベル剥離装置は更に挟持組部品を含み、機体内部に設置し、カッター組部品に隣接し、且つ挟持組部品はカッター組部品と比較して剥離組部品より遠く、挟持組部品は第一挟持部品及び第二挟持部品を含み、該第一挟持部品は第二挟持部品と相互に隣接する。
【００１５】
良好なものとして、この印字ラベル剥離装置は、更に制御モジュールを含み、機体内部に設置してプリント組部品、剥離組部品、カッター組部品及び挟持組部品を連接し、プリントヘッドでプリントジョブを実行し、伝送ローラー及び可動ローラーを制御して回転し、第一カッター片もしくは第二カッター片を制御して縱向移動する。
【００１６】
良好なものとして、第一カッター片及び第二カッター片の刀刃に遠い部分には凹部を設置する。
【００１７】
良好なものとして、案内部品は例としてＬ字形とする。
【００１８】
良好なものとして、案内部品は例として多角形とする。
【実施例１】
【００１９】
本考案の技術特徴、内容と長所及びそれに拠って達成される効果を理解するため、図式と共に実施例を挙げて詳細に説明する。そのうち、挙げた図式は説明を補助するための図式でしかなく、本考案を制限するものではないことを提示しておく。
【００２０】
図１から図９に示すのは、本考案の印字ラベル剥離装置の第一指示図、第二指示図、第三指示図、第四指示図、第五指示図、第六指示図、第七指示図、第八指示図及び第九指示図である。本考案の印字ラベル剥離装置は、主に各式の大きさ及び種類の紙に印刷し、且つ該装置は剥離紙を備えた裏粘着紙に印刷する時、自動で剥離紙を剥がし、使用上の便利性を高める。この印字ラベル剥離装置は、機体１０、プリント組部品２０、剥離組部品３０、カッター組部品４０、挟持組部品５０及び制御モジュール６０を含む。該プリント組部品２０、剥離組部品３０、カッター組部品４０、挟持組部品５０及び制御モジュール６０は該機体１０内部に設置し、且つ制御モジュール６０はプリント組部品２０、剥離組部品３０、カッター組部品４０及び挟持組部品５０に連接する。プリント組部品２０は機体１０の入紙端に近く、剥離組部品３０はプリント組部品２０に隣接し、カッター組部品４０は剥離組部品３０に隣接し且つ剥離組部品３０と比較してプリント組部品２０より遠く、該挟持組部品５０はカッター組部品４０に隣接し且つカッター組部品４０と比較して剥離組部品３０より遠い。更に挟持組部品５０は機体１０の出紙端に近く、簡単に説明すると、印刷時之紙の進むルートは機体１０の入紙端から出紙端まで順に設置した部品として、プリント組部品２０、剥離組部品３０、カッター組部品４０及び挟持組部品５０である。
【００２１】
詳細に説明すると、機体１０は機台１１及び上蓋１２を含む。上蓋１２は機台１１上に接続して設置する。良好なものとして、上蓋１２の一側は機台１１に固定接続し、上蓋１２の別側は可動連接するか、もしくは機台１１から分離する。図１から図４に示すとおり、もしくは上蓋１２機台１１から可動で完全に外れる。このようにして、上蓋１２を開けると、清掃と紙設置作業に便利である。プリント組部品２０は、プリントヘッド２１及び伝送ローラー２２を含む。伝送ローラー２２は、プリントヘッド２１の下方に配置し、プリントヘッド２１は制御モジュール６０の制御によって印刷ジョブを実行する。更に伝送ローラー２２は制御モジュール６０の制御に拠って、回転する。剥離組部品３０は案内部品３１及び可動ローラー３２を含む。可動ローラー３２は案内部品３１の下方に設置し、伝送ローラー２２と相互に紙を挟む。該可動ローラー３２は、制御モジュール６０の制御に拠って回転する。そのうち案内部品３１は例としてＬ字形でもよく、もしくは該案内部品３１は多角形でもよく、三角形でもよい。カッター組部品４０は第一カッター片４１及び第二カッター片４２を含み、第一カッター片４１は上蓋１２に設置し、第二カッター片４２は機台１１に設置する。更に第一カッター片４１もしくは第二カッター片４２のうちの一つは可動刃であり、別の刃は固定刀片である。仮に該第一カッター片４１が可動刃の場合、制御モジュール６０の制御に拠って固定設置した第二カッター片４２に縱向移動で近づくか、もしくは遠ざかる。また仮に該第二カッター片４２が可動刃の場合、制御モジュール６０の制御に拠って固定設置した第一カッター片４１に縱向移動を実施して近づくか、もしくは遠ざかる。良好なものとして、第一カッター片４１及び第二カッター片４２の刀刃から遠い部分にそれぞれ凹部４１１及び４２１を設置する。
【００２２】
更に挟持組部品５０は第一挟持部品５１及び第二挟持部品５２を含み、裏粘着紙は第一挟持部品５１及び第二挟持部品５２の間に挟んで設置することで裏粘着紙の安定性と送りをスムーズに助ける。且つ該第一挟持部品５１ と第二挟持部品５２は伝送ローラーでもよく、もしくは第一挟持部品５１ と第二挟持部品５２はバネ機構でもよい。
【００２３】
本考案の印字ラベル剥離装置は、剥離紙を備えた裏粘着紙にプリントし、更に該裏粘着紙を剥離作業し、そのプリント剥離工程は、図５から図９に示すとおりである。先ず、印刷作業実施前、剥離紙２０２が付いた裏粘着紙を機体１０の中に入れる。そのうち裏粘着紙のプリント紙２０１の前端を機体１０の出紙端から露出させ、第一挟持部品５１及び第二挟持部品５２によって挟持する。そして前端部分の剥離紙２０２を先行して手動で?離し、更に該手動で剥離された部分剥離紙２０２の前端を伝送ローラー２２及び可動ローラー３２の間に挟み込み、且つ先行剥離した剥離紙２０２の部分を案内部品３１に当てて湾曲状にする。例として図５から図７に示すとおりである。続いて、該印字ラベル剥離装置を始動すると、プリントヘッド２１が裏粘着紙のプリント紙２０１にプリントを実施し、同時に伝送ローラー２２及び挟持組部品５０が裏粘着紙を機体１０の出紙端方向へ移動させる。該装置はプリント実行過程において、案内部品３１の案内及び伝送ローラー２２と可動ローラー３２の回転に依る引きにより、自動で剥離紙２０２をプリント紙２０１から剥離し、且つ第一カッター片４１及び第二カッター片４２でプリントが完成し且つ剥離紙２０２が剥離されたプリント紙２０１を切断する。例として図８及び図９に示す。そのうち、第一カッター片４１及び第二カッター片４２には、それぞれ凹部４１１及び４２１を設置する。該第一カッター片４１と第二カッター片４２は、それぞれ該凹部４１１及び４２１によってプリント紙２０１の裏糊の糊が減る。
【００２４】
上述のとおり、本考案の印字ラベル剥離装置は、剥離紙を備えた裏粘着紙にプリントする時、簡単な構造で配置された剥離組部品に拠って、裏粘着紙上の剥離紙を剥がした後、任意設定の長さに裁断し、一般ラベル紙の固定の長さの制限を受けることなく、自動でラベルを貼ると同時に異なるラベル規格を処理する目的を達成し、余った糊を処理するコストと時間を節約することができる。
【００２５】
上述を総合して、本考案は公知の技術を突出し、確実に効果が高まり、且つ当領域に習熟していない者には思い至らないものである。更に本考案は未公開であり、且つ進歩性、実用性を備えていることから、実用新案登録の申請要項を備えている。
【００２６】
以上上述の実施例は、本考案の技術思想及び特徴を説明するためのものに過ぎず、その目的は当領域に習熟した人が本考案の内容を理解し、実施するためであり、本考案の請求範囲を制限するものではない。拠って、本考案が掲示する精神的所作の均等な変化もしくは修飾は、本考案の請求項に含まれる。
【符号の説明】
【００２７】
１０        機体
１１        機台
１２        上蓋
２０        プリント組部品
２１        プリントヘッド
２２        伝送ローラー
３０        剥離組部品
３１        案内部品
３２        可動ローラー
４０        カッター組部品
４１        第一カッター片
４１１        凹部
４２１        凹部
４２        第二カッター片
５０        挟持組部品
５１        第一挟持部品
５２        第二挟持部品
６０        制御モジュール
２０１        プリント紙
２０２        剥離紙
【図１】
0003210425.tif 000003
【図２】
0003210425.tif 000004
【図３】
0003210425.tif 000005
【図４】
0003210425.tif 000006
【図５】
0003210425.tif 000007
【図６】
0003210425.tif 000008
【図７】
0003210425.tif 000009
【図８】
0003210425.tif 000010
【図９】
0003210425.tif 000011
【手続補正書】
【提出日】平成29年1月20日(2017.1.20)
【手続補正１】
【補正対象書類名】図面
【補正対象項目名】全図
【補正方法】変更
【補正の内容】
【図１】
0003210425.tif 000012
【図２】
0003210425.tif 000013
【図３】
0003210425.tif 000014
【図４】
0003210425.tif 000015
【図５】
0003210425.tif 000016
【図６】
0003210425.tif 000017
【図７】
0003210425.tif 000018
【図８】
0003210425.tif 000019
【図９】
0003210425.tif 000020
【手続補正書】
【提出日】平成29年3月9日(2017.3.9)
【手続補正１】
【補正対象書類名】実用新案登録請求の範囲
【補正対象項目名】請求項１
【補正方法】変更
【補正の内容】
【請求項１】
印字ラベル剥離装置において、
機体と、
該機体内部に設置し、プリントヘッド及び伝送ローラーを含み、該伝送ローラーは該プリントヘッドの下方に設置するプリント組部品と、
該機体内部に設置し、該プリント組部品に隣接し、案内部品及び可動ローラーを含み、該可動ローラーは該案内部品の下方に設置し、該伝送ローラーと相互に押さえる剥離組部品と、
該機体内部に設置し、該剥離組部品に隣接し、且つ該剥離組部品と比較して該プリント組部品より遠いカッター組部品を含むことを特徴とする印字ラベル剥離装置。